(57)【要約】      （修正有）【課題】ＬＥＤセルの連結及び配列形態を最適化して、高い集積度を有する交流駆動型発光装置を提供する。【解決手段】基板と、基板の上面に一列に配列されたＫ個（Ｋは３以上の整数）の第１ＬＥＤセルと、基板の上面に上記第１ＬＥＤセルの列と平行に一列に配列されたＫ個の第２ＬＥＤセルと、基板の上面に上記第１及び第２ＬＥＤセルの列の間に一列に配列されたＫ−１個の第３ＬＥＤセルを含み、交流で駆動が可能なＬＥＤセル間の連結構造を有する。【選択図】図２
2010016333.tif 000002
【特許請求の範囲】
【請求項１】
基板と、
前記基板の上面に一列に配列されたＫ個（ここで、Ｋは３以上の整数である）の第１ＬＥＤセルと、
前記基板の上面に前記第１ＬＥＤセルの列と平行に一列に配列されたＫ個の第２ＬＥＤセルと、
前記基板の上面に前記第１及び第２ＬＥＤセルの列の間に一列に配列されたＫ−１個の第３ＬＥＤセルを含み、
特定配列方向に前記第１乃至第３ＬＥＤセルの順番を定義するとき、
ｍ番目（ここで、ｍはＫより小さい奇数である）の第３ＬＥＤセルの第１電極はｍ番目とｍ＋１番目の第１ＬＥＤセルの第２電極に連結され、ｍ番目の第３ＬＥＤセルの第２電極はｍ番目とｍ＋１番目の第２ＬＥＤセルの第１電極に連結され、
ｎ番目（ここで、ｎはＫより小さい偶数である）の第３ＬＥＤセルの第１電極はｎ番目とｎ＋１番目の第２ＬＥＤセルの第２電極に連結され、ｎ番目の第３ＬＥＤセルの第２電極はｎ番目とｎ＋１番目の第１ＬＥＤセルの第１電極に連結され、
１番目の第１ＬＥＤセルの第１電極と１番目の第２ＬＥＤセルの第２電極に連結された第１外部電極と、Ｋ番目の第１及び第２ＬＥＤセルの電極のうち第３ＬＥＤセルに連結されない電極に連結された第２外部電極をさらに含む交流駆動発光装置。
【請求項２】
前記第１乃至３ＬＥＤセルの第１及び第２電極は、夫々該当セルの上面で対向する両辺に隣接するように位置し、該当辺に従って延長された部分を有することを特徴とする請求項１に記載の交流駆動発光装置。
【請求項３】
前記基板の上面は、第１乃至第４辺からなる長方形で、
前記第１及び第２ＬＥＤセルは夫々前記第１及び第２辺に従って並んで配列され、前記１番目の第１及び第２ＬＥＤセルは前記第３辺に隣接し、前記Ｋ番目の第１及び第２ＬＥＤセルは前記第４辺に隣接するように配列されることを特徴とする請求項１または請求項２に記載の交流駆動発光装置。
【請求項４】
前記第１及び第２辺は、前記第３及び第４辺より長い長さを有することを特徴とする請求項３に記載の交流駆動発光装置。
【請求項５】
前記第３ＬＥＤセルは、電極が連結された２個の第１ＬＥＤセルと電極が連結された２個の第２ＬＥＤセルと隣接するように配列されたことを特徴とする請求項１から請求項３の何れかに記載の交流駆動発光装置。
【請求項６】
前記第３ＬＥＤセルは、夫々その配列方向に傾いた平行四辺形の上面を有することを特徴とする請求項１から請求項５の何れかに記載の交流駆動発光装置。
【請求項７】
前記第３ＬＥＤセルの第１及び第２電極は、夫々前記第３ＬＥＤセルの上面で傾いた両辺に隣接して形成されたことを特徴とする請求項６に記載の交流駆動発光装置。
【請求項８】
前記第１ＬＥＤセルの第１及び第２電極は、夫々前記第１ＬＥＤセルの上面でその第１ＬＥＤセルの配列方向と垂直の両辺に隣接するように形成され、前記第２ＬＥＤセルの第１及び第２電極は夫々前記第２ＬＥＤセルの上面でその第２ＬＥＤセルの配列方向と垂直の両辺に隣接するように形成されたことを特徴とする請求項６または請求項７に記載の交流駆動発光装置。
【請求項９】
前記第３ＬＥＤセルは、対向する２個の長辺と対向する２個の短辺からなるほぼ長方形の上面を有することを特徴とする請求項１から請求項５の何れかに記載の交流駆動発光装置。
【請求項１０】
前記第３ＬＥＤセルの第１及び第２電極は、夫々前記長方形の上面のうち２個の長辺に隣接するように形成されたことを特徴とする請求項９に記載の交流駆動発光装置。
【請求項１１】
前記第３ＬＥＤセルは、その長辺が前記第３ＬＥＤセルの配列方向とほぼ垂直になるように配列され、
前記第１ＬＥＤセルの第１及び第２電極は夫々前記第１ＬＥＤセルの上面でその第１ＬＥＤセルの配列方向と平行の両辺に隣接するように形成され、前記第２ＬＥＤセルの第１及び第２電極は夫々前記第２ＬＥＤセルの上面でその第２ＬＥＤセルの配列方向と平行の両辺に隣接するように形成されたことを特徴とする請求項９または請求項１０に記載の交流駆動発光装置。
【請求項１２】
前記１番目の第１ＬＥＤセルは、前記基板の上面の第３辺に従って前記１番目の第２ＬＥＤセルに隣接するように延長され、
前記Ｋ番目の第２ＬＥＤセルは、前記基板の上面の第４辺に従って前記Ｋ番目の第１ＬＥＤセルに隣接するように延長されたことを特徴とする請求項１乃至請求項１１のいずれか１項に記載の交流駆動発光装置。
【請求項１３】
前記第１外部電極は、前記１番目の第１ＬＥＤセル上に位置し、前記第２外部電極は前記Ｋ番目の第２ＬＥＤセル上に位置することを特徴とする請求項１から請求項１２の何れかに記載の交流駆動発光装置。
【請求項１４】
前記第１乃至第３ＬＥＤセルは、ほぼ同一の発光面積を有することを特徴とする請求項１から請求項１３の何れかに記載の交流駆動発光装置。
【請求項１５】
前記第１乃至第３ＬＥＤセルは、夫々前記基板上に順次に成長された第１導電型半導体層、活性層及び第２導電型半導体層を含むことを特徴とする請求項１から請求項１４の何れかに記載の交流駆動発光装置。
【請求項１６】
ｍ番目の第２ＬＥＤセルとｍ＋１番目の第２ＬＥＤセルのうち少なくとも一対は前記第１導電型半導体層が露出された領域により互いが分離され、前記第１導電型半導体層の露出された領域に形成された１つの第２電極を共有することを特徴とする請求項１５に記載の交流駆動発光装置。
【請求項１７】
ｎ番目の第１ＬＥＤセルとｎ＋１番目の第１ＬＥＤセルのうち少なくとも一対は、前記第１導電型半導体層が露出された領域により互いが分離され、前記第１導電型半導体層の露出された領域に形成された１つの第２電極を共有することを特徴とする請求項１５または請求項１６に記載の交流駆動発光装置。
【請求項１８】
ｍ番目の第２ＬＥＤセルとｍ＋１番目の第２ＬＥＤセルの全ての対は前記第１導電型半導体層が露出された領域により互いが分離され、前記第１導電型半導体層の露出された領域に形成された１つの第２電極を共有し、
ｎ番目の第１ＬＥＤセルとｎ＋１番目の第１ＬＥＤセルの全ての対は前記第１導電型半導体層が露出された領域により互いが分離され、前記第１導電型半導体層の露出された領域に形成された１つの第２電極を共有し、
残りの他の隣接した第１乃至第３ＬＥＤセルは、前記基板まで露出された領域により分離されたことを特徴とする請求項１７に記載の交流駆動発光装置。
【請求項１９】
前記第１乃至第３ＬＥＤセルは、全て前記基板まで露出された領域により隣接した他のＬＥＤセルと分離されることを特徴とする請求項１から請求項１８の何れかに記載の交流駆動発光装置。
【請求項２０】
基板と、
前記基板の上面に並んで形成された少なくとも第１及び第２はしご形回路網ＬＥＤアレイを含み、
前記第１及び第２はしご形回路網ＬＥＤアレイの夫々は、
前記基板の上面に一列に配列されたＫ個（ここで、Ｋは３以上の整数である）の第１ＬＥＤセルと、前記基板の上面に前記第１ＬＥＤセルの列と平行に一列に配列されたＫ個の第２ＬＥＤセルと、前記基板の上面に前記第１及び第２ＬＥＤセルの列の間に一列に配列されたＫ−１個の第３ＬＥＤセルを含み、
前記第１及び第２はしご形回路網ＬＥＤアレイは夫々の第２ＬＥＤセルの列が互いに隣接するように配列され、
特定配列方向に前記第１乃至第３ＬＥＤセルの順番を定義するとき、
ｍ番目（ここで、ｍはＫより小さい奇数である）の第３ＬＥＤセルの第１電極はｍ番目とｍ＋１番目の第１ＬＥＤセルの第２電極に連結され、ｍ番目の第３ＬＥＤセルの第２電極はｍ番目とｍ＋１番目の第２ＬＥＤセルの第１電極に連結され、
ｎ番目（ここで、ｎはＫより小さい偶数である）の第３ＬＥＤセルの第１電極はｎ番目とｎ＋１番目の第２ＬＥＤセルの第２電極に連結され、ｎ番目の第３ＬＥＤセルの第２電極はｎ番目とｎ＋１番目の第１ＬＥＤセルの第１電極に連結され、
１番目の第１ＬＥＤセルの第１電極と１番目の第２ＬＥＤセルの第２電極は互いが連結され、Ｋ番目の第１及び第２ＬＥＤセルの電極のうち第３ＬＥＤセルに連結されない電極は互いが連結され、
前記第１はしご形回路網ＬＥＤアレイのＫ番目の第２ＬＥＤセルと前記第２はしご形回路網ＬＥＤアレイのＫ番目の第２ＬＥＤセルのうち第３ＬＥＤセルに連結されない電極は互いが連結されたことを特徴とする交流駆動発光装置。
【請求項２１】
前記各はしご形回路網ＬＥＤアレイの前記第１乃至第３ＬＥＤセルは前記基板上に順次に成長された第１導電型半導体層、活性層及び第２導電型半導体層を含むことを特徴とする請求項２０に記載の交流駆動発光装置。
【請求項２２】
前記各はしご形回路網ＬＥＤアレイで前記第１及び第２ＬＥＤセルの数（Ｋ）は奇数で、
前記第１はしご形回路網ＬＥＤアレイのＫ番目の第２ＬＥＤセルと前記第２はしご形回路網ＬＥＤアレイのＫ番目の第２ＬＥＤセルは前記第１導電型半導体層が露出された領域により互いが分離され、１つの第２電極を共有することを特徴とする請求項２１に記載の交流駆動発光装置。
【請求項２３】
前記基板の上面に一列に配列されたＫ個（ここで、Ｋは３以上の整数である）の第１ＬＥＤセルと、前記基板の上面に前記第１ＬＥＤセルの列と平行に一列に配列されたＫ個の第２ＬＥＤセルと、前記基板の上面に前記第１及び第２ＬＥＤセルの列の間に一列に配列されたＫ−１個の第３ＬＥＤセルを含み、前記第１はしご形回路網ＬＥＤアレイにおける第１乃至第３ＬＥＤセルの電極連結形態と同じ形態の電極連結形態を有する第３はしご形回路網ＬＥＤアレイをさらに含み、
前記第３はしご形回路網ＬＥＤアレイの第１ＬＥＤセルは前記第２はしご形回路網ＬＥＤアレイの第１ＬＥＤセルと隣接して並んで配列され、
前記第２はしご形回路網ＬＥＤアレイの１番目の第１ＬＥＤセルと前記第３はしご形回路網ＬＥＤアレイの１番目の第１ＬＥＤセルのうち第３ＬＥＤセルに連結されない電極は互いが連結されたことを特徴とする請求項２０から請求項２２の何れかに記載の交流駆動発光装置。
【請求項２４】
前記各はしご形回路網ＬＥＤアレイの第１乃至第３ＬＥＤセルは、前記基板上に順次に成長された第１導電型半導体層、活性層及び第２導電型半導体層を含むことを特徴とする請求項２０から請求項２３の何れかに記載の交流駆動発光装置。
【請求項２５】
前記各はしご形回路網ＬＥＤアレイで前記第１及び第２ＬＥＤセルの数（Ｋ）は奇数で、
前記第１はしご形回路網ＬＥＤアレイのＫ番目の第２ＬＥＤセルと前記第２はしご形回路網ＬＥＤアレイのＫ番目の第２ＬＥＤセルは前記第１導電型半導体層が露出された領域により互いが分離され、１つの第２電極を共有し、
前記第１はしご形回路網ＬＥＤアレイの１番目の第１ＬＥＤセルと前記第２はしご形回路網ＬＥＤアレイの１番目の第１ＬＥＤセルは前記第１導電型半導体層が露出された領域により互いが分離され、１つの第２電極を共有することを特徴とする請求項２４に記載の交流駆動発光装置。
【発明の詳細な説明】
【技術分野】
【０００１】
本発明は、交流駆動発光装置に関するもので、より詳細にはＤＣ電源に変換させるコンバージョン装置なしにＡＣ電源で直接使用できる交流駆動発光装置に関するものである。
【背景技術】
【０００２】
半導体発光ダイオード（ＬＥＤ）は、出力及び効率や信頼性の側面で光源として有益な長所を有するので、照明装置またはディスプレイ装置のバックライトに代替できる高出力、高効率の光源で積極的に研究開発されている。
【０００３】
一般的に、発光ダイオードは低い直流電流で駆動される。従って、正規電圧（例えば、交流２２０Ｖ）で発光ダイオードを駆動するためには、低いＤＣ出力電圧を供給するさらなる回路（例えば、ＡＣ／ＤＣコンバータ）が求められる。しかし、このようなさらなる回路の導入は、ＬＥＤモジュールの構成を複雑にする上、供給電源の変換過程において効率性と信頼性の低下が引き起こる可能性がある。また、光源の他にさらなる部品により製品価額が増加し、製品の大きさが増加され、スイッチングモードの動作時に周期成分により電磁妨害（ＥＭＩ）特性が悪くなるという短所がある。
【０００４】
このような問題を解決するために、さらなるコンバータなくＡＣ電圧でも駆動が可能な多様な形態のＬＥＤ駆動回路が提案されている。しかし、一般的にＡＣ駆動型ＬＥＤ駆動回路では、大部分のＬＥＤがＡＣ電圧の特定半周期でのみ駆動ができるように配列されるため、所望の光量を得るのに必要なＬＥＤの数が大きく増加する。
【０００５】
このようなＬＥＤの必要な数は、同じ光量を提供してもそのＬＥＤの配列方法により異なることができるが、従来の配列では非常に低い効率を有する。たとえば、従来の代表的な逆並列配列またはブリッジ配列の場合には、夫々実際連続的に発光するＬＥＤ数は全体ＬＥＤ数の５０％と６０％程度に過ぎない。即ち、所望の発光水準を得るためには、消耗するＬＥＤ数が多くなる非効率であるという問題がある。
【０００６】
従って、より効率的なＬＥＤの配列を通じ、同じ光量をより少ない数のＬＥＤを用いて提供することができ、これはＡＣ駆動型ＬＥＤ回路の製造と販売の経済性の側面において非常に重要な問題である。
【０００７】
また、実際、交流駆動発光装置を具現することにおいて、各単位ＬＥＤセルの連結は一般的に複雑な様相を有することができる。従って、配線の連結形態及びこれを形成する工程が複雑で量産性が低いという問題があることができる。また、多数のＬＥＤセルは複雑な連結を有するため、高い集積度を有するように小型化された形態で設計することも重要な課題として認識されている。
【発明の開示】
【発明が解決しようとする課題】
【０００８】
本発明は、上記の技術的課題を解決するためのもので、その目的は、ＡＣで駆動可能な連結構造を有しながら各ＬＥＤセルの連結及び配列形態を最適化して高い集積度を有する優れた交流駆動型発光装置を提供することにある。
【課題を解決するための手段】
【０００９】
上記の技術的課題を解決するために、本発明の一実施形態は、基板と、上記基板の上面に一列に配列されたＫ個（ここで、Ｋは３以上の整数である）の第１ＬＥＤセルと、上記基板の上面に上記第１ＬＥＤセルの列と平行に一列に配列されたＫ個の第２ＬＥＤセルと、上記基板の上面に上記第１及び第２ＬＥＤセルの列の間に一列に配列されたＫ−１個の第３ＬＥＤセルを含む交流駆動発光装置を提供する。
【００１０】
上記交流駆動発光装置は、交流において駆動可能なＬＥＤセル間の連結構造を有する。
【００１１】
本実施形態によるＬＥＤセル間の連結構造では、特定配列方向に上記第１乃至第３ＬＥＤセルの順番を定義するとき、ｍ番目（ここで、ｍはＫより小さい奇数である）の第３ＬＥＤセルの第１電極はｍ番目とｍ＋１番目の第１ＬＥＤセルの第２電極に連結され、ｍ番目の第３ＬＥＤセルの第２電極はｍ番目とｍ＋１番目の第２ＬＥＤセルの第１電極に連結される。
【００１２】
ｎ番目（ここで、ｎはＫより小さい偶数である）の第３ＬＥＤセルの第１電極はｎ番目とｎ＋１番目の第２ＬＥＤセルの第２電極に連結され、ｎ番目の第３ＬＥＤセルの第２電極はｎ番目とｎ＋１番目の第１ＬＥＤセルの第１電極に連結される。
【００１３】
また、本実施形態による交流駆動発光装置は、１番目の第１ＬＥＤセルの第１電極と１番目の第２ＬＥＤセルの第２電極に連結された第１外部電極と、Ｋ番目の第１及び第２ＬＥＤセルの電極のうち第３ＬＥＤセルに連結されない電極に連結された第２外部電極をさらに含む。
【００１４】
好ましく、上記第１乃至３ＬＥＤセルの第１及び第２電極は夫々該当セルの上面で対向する両辺に隣接するように位置し、該当辺に従って延長された部分を有することができる。これにより、各ＬＥＤセルの全体発光面積で均一な電流分布をはかり、より高い発光効率を期待することができる。
【００１５】
上記基板の上面は、第１乃至第４辺からなる長方形であることができる。この場合に、上記第１及び第２ＬＥＤセルは夫々上記第１及び第２辺に従って並んで配列され、上記１番目の第１及び第２ＬＥＤセルは上記第３辺に隣接し、上記Ｋ番目の第１及び第２ＬＥＤセルは上記第４辺に隣接するように配列されることができる。
【００１６】
好ましく、高い集積度を実現するために、上記第３ＬＥＤセルは電極が連結された２個の第１ＬＥＤセルと電極が連結された２個の第２ＬＥＤセルと隣接するように配列されることができる。
【００１７】
特定実施形態において、上記第３ＬＥＤセルは夫々その配列方向に傾いた平行四辺形の上面を有する形態で提供されることができる。
【００１８】
本実施形態において、電極配線連結をより短く具現し、これによる不良を減少させるために、上記第３ＬＥＤセルの第１及び第２電極は夫々上記第３ＬＥＤセルの上面で傾いた両辺に隣接して形成されたことが好ましい。
【００１９】
また、この場合に、上記第１ＬＥＤセルの第１及び第２電極は夫々上記第１ＬＥＤセルの上面でその第１ＬＥＤセルの配列方向と垂直の両辺に隣接するように形成され、上記第２ＬＥＤセルの第１及び第２電極は夫々上記第２ＬＥＤセルの上面でその第２ＬＥＤセルの配列方向と垂直の両辺に隣接するように形成されたことが好ましい。
【００２０】
これと異なり、他の実施形態において、上記第３ＬＥＤセルは、対向する２個の長辺と対向する２個の短辺からなるほぼ長方形の上面を有する形態であることができる。
【００２１】
本実施形態において、上記第３ＬＥＤセルの第１及び第２電極は、夫々上記長方形の上面のうち２個の長辺に隣接するように形成されることができる。
【００２２】
この場合に、上記第３ＬＥＤセルはその長辺が上記第３ＬＥＤセルの配列方向とほぼ垂直になるように配列され、上記第１ＬＥＤセルの第１及び第２電極は夫々上記第１ＬＥＤセルの上面でその第１ＬＥＤセルの配列方向と平行の両辺に隣接するように形成され、上記第２ＬＥＤセルの第１及び第２電極は夫々上記第２ＬＥＤセルの上面でその第２ＬＥＤセルの配列方向と平行の両辺に隣接するように形成されることが好ましい。
【００２３】
また、上記第１及び第２ＬＥＤセルと外部電極の連結を高い集積度を満たすように実現するために、上記１番目の第１ＬＥＤセルは上記基板の上面の第３辺に従って上記１番目の第２ＬＥＤセルに隣接するように延長され、上記Ｋ番目の第２ＬＥＤセルは上記基板の上面の第４辺に従って上記Ｋ番目の第１ＬＥＤセルに隣接するように延長されるように形成されることができる。
【００２４】
この場合に、上記第１及び第２外部電極は延長されたＬＥＤセル上に位置することができる。即ち、上記第１外部電極は上記１番目の第１ＬＥＤセル上に位置し、上記第２外部電極は上記Ｋ番目の第２ＬＥＤセル上に位置することができる。
【００２５】
好ましく、特定セルに電圧が集中することを防ぐために、上記第１乃至第３ＬＥＤセルはほぼ同じ発光面積を有することができる。
【００２６】
好ましく、本交流駆動発光装置の第１乃至第３ＬＥＤセルは上記基板上に順次に成長された第１導電型半導体層、活性層及び第２導電型半導体層から得ることができる。即ち、基板全体の上面に成長された発光構造のための第１導電型半導体層、活性層及び第２導電型半導体層を適切な分離工程を通じ、各セル単位で分離させることで所望の第１乃至第３ＬＥＤセルの配列を得ることができる。
【００２７】
このような分離工程は、ＬＥＤセル間の連結形態により基板まで露出させる完全分離工程（ｆｕｌｌ−ｉｓｏｌａｔｉｏｎ）または第１導電型半導体層までのみ露出させる半分離工程（ｈａｌｆ−ｉｓｏｌａｔｉｏｎ）に分けることができる。
【００２８】
たとえば、ｍ番目の第２ＬＥＤセルとｍ＋１番目の第２ＬＥＤセルのうち少なくとも一対は、上記第１導電型半導体層が露出された領域（半分離工程）により互いが分離されることができ、上記第１導電型半導体層の露出された領域に形成された１つの第２電極を共有することができる。
【００２９】
これと類似に、ｎ番目の第１ＬＥＤセルとｎ＋１番目の第１ＬＥＤセルのうち少なくとも１対が上記第１導電型半導体層が露出された領域により互いが分離され、上記第１導電型半導体層の露出された領域に形成された１つの第２電極を共有することができる。
【００３０】
このように、特定セルに対して半分離工程を適用し第２電極を共有するように構成することで工程を単純化し集積化度をより向上させることができる。
【００３１】
好ましい例において、ｍ番目の第２ＬＥＤセルとｍ＋１番目の第２ＬＥＤセルの全ての対は上記第１導電型半導体層が露出された領域により互いが分離され、上記第１導電型半導体層の露出された領域に形成された１つの第２電極を共有し、ｎ番目の第１ＬＥＤセルとｎ＋１番目の第１ＬＥＤセルの全ての対は上記第１導電型半導体層が露出された領域により互いが分離され、上記第１導電型半導体層の露出された領域に形成された１つの第２電極を共有し、残りの他の隣接した第１乃至第３ＬＥＤセルは上記基板まで露出された領域（完全分離工程）により分離されることができる。
【００３２】
これと異なり、上記第１乃至第３ＬＥＤセルは、全て上記基板まで露出された領域（完全分離工程）により隣接した他のＬＥＤセルと分離されることもできる。
【００３３】
本発明の好ましい実施形態による交流駆動発光装置は、基板と、上記基板の上面に並んで形成された少なくとも第１及び第２はしご形回路網ＬＥＤアレイを含む。ここで、上記第１及び第２はしご形回路網ＬＥＤアレイの夫々は、上記基板の上面に一列に配列されたＫ個（ここで、Ｋは３以上の整数である）の第１ＬＥＤセルと、上記基板の上面に上記第１ＬＥＤセルの列と平行に一列に配列されたＫ個の第２ＬＥＤセルと、上記基板の上面に上記第１及び第２ＬＥＤセルの列の間に一列に配列されたＫ−１個の第３ＬＥＤセルを含む。
【００３４】
上記第１及び第２はしご形回路網ＬＥＤアレイは夫々の第２ＬＥＤセルの列が隣接するように配列される。
【００３５】
また、上記各はしご形回路網ＬＥＤアレイにおける各ＬＥＤセルの連結形態の場合には、特定配列方向に上記第１乃至第３ＬＥＤセルの順番を定義するとき、ｍ番目（ここで、ｍはＫより小さい奇数である）の第３ＬＥＤセルの第１電極はｍ番目とｍ＋１番目の第１ＬＥＤセルの第２電極に連結され、ｍ番目の第３ＬＥＤセルの第２電極はｍ番目とｍ＋１番目の第２ＬＥＤセルの第１電極に連結され、ｎ番目（ここで、ｎはＫより小さい偶数である）の第３ＬＥＤセルの第１電極はｎ番目とｎ＋１番目の第２ＬＥＤセルの第２電極に連結され、ｎ番目の第３ＬＥＤセルの第２電極はｎ番目とｎ＋１番目の第１ＬＥＤセルの第１電極に連結される。
【００３６】
１番目の第１ＬＥＤセルの第１電極と１番目の第２ＬＥＤセルの第２電極は互いが連結され、Ｋ番目の第１及び第２ＬＥＤセルの電極のうち第３ＬＥＤセルに連結されない電極は互いが連結される。
【００３７】
また、本実施形態の交流駆動発光装置は、上記第１及び第２はしご形回路網ＬＥＤアレイ間の連結のために、上記第１はしご形回路網ＬＥＤアレイのＫ番目の第２ＬＥＤセルと上記第２はしご形回路網ＬＥＤアレイのＫ番目の第２ＬＥＤセルのうち第３ＬＥＤセルに連結されない電極は互いが連結される。
【００３８】
好ましく、上記各はしご形回路網ＬＥＤアレイの上記第１乃至第３ＬＥＤセルは上記基板上に順次に成長された第１導電型半導体層、活性層及び第２導電型半導体層を含むことができる。
【００３９】
上記各はしご形回路網ＬＥＤアレイにおいて、上記第１及び第２ＬＥＤセルの数（Ｋ）は、奇数の場合、上記第１はしご形回路網ＬＥＤアレイのＫ番目の第２ＬＥＤセルと上記第２はしご形回路網ＬＥＤアレイのＫ番目の第２ＬＥＤセルは上記第１導電型半導体層が露出された領域により互いが分離され、１つの第２電極を共有することができる。
【００４０】
また、これと類似な形態で少なくとも１つの第３はしご形回路網ＬＥＤアレイが連結された形態で具現されることができる。
【発明の効果】
【００４１】
本発明によると、ＡＣ駆動のための複雑なはしご形回路網の連結構造を高い集積度を有するように最適化を実現することができる交流駆動発光装置を提供する。特に、各ＬＥＤセルの高い効率が保障できながらもＬＥＤセルの間の連結形態を簡素化することができるようにＬＥＤセルの配列を実現し電極の位置及び電極の間の連結方式を提案することで高い量産性を有する優れた交流駆動型発光装置を提供することができる。
【発明を実施するための最良の形態】
【００４２】
以下、添付の図面を参照し本発明の実施形態を詳細に説明する。
【００４３】
図１ａは本発明の一実施形態（単位配列）によるＬＥＤ駆動回路を示す。
【００４４】
図１ａに図示されたＬＥＤ駆動回路は、外部端子Ｐ１、Ｐ２として提供される第１及び第２接点の間に互いが並列に連結された３個の第１ＬＥＤセルＡ１、Ａ２、Ａ３と３個の第２ＬＥＤセルＢ１、Ｂ２、Ｂ３と、各第１ＬＥＤセルＡ１、Ａ２、Ａ３の間の２個の中間接点と第２ＬＥＤセルＢ１、Ｂ２、Ｂ３の２個の中間接点の間に夫々連結された２個の第３ＬＥＤセルＣ１、Ｃ２を含む。
【００４５】
第１乃至第３ＬＥＤセルの電極間の連結について述べると、１番目の第３ＬＥＤセルＣ１の第１電極（−）は１番目と２番目の第１ＬＥＤセルＡ１、Ａ２の第２電極（＋）に連結され、１番目の第３ＬＥＤセルＣ１の第２電極（＋）は１番目と２番目の第２ＬＥＤセルＢ１、Ｂ２の第１電極（−）に連結される。２番目の第３ＬＥＤセルＣ２の第１電極（−）は２番目と３番目の第２ＬＥＤセルＢ２、Ｂ３の第２電極（＋）に連結され、２番目の第３ＬＥＤセルＣ２の第２電極（＋）は２番目と３番目の第１ＬＥＤセルＡ２、Ａ３の第１電極（−）に連結される。
【００４６】
また、上記第１接点には、１番目の第１ＬＥＤセルＡ１の第１電極（−）と１番目の第２ＬＥＤセルＢ１の第２電極が連結され、上記第２接点には３番目の第１ＬＥＤセルＡ３の第２電極（＋）と３番目の第２ＬＥＤセルＢ３の第２電極が連結される。
【００４７】
このような連結により図１ａに図示されたＬＥＤ駆動回路は、交流電圧の異なる半周期に駆動されるように２個の電流ループを有することができる。
【００４８】
交流電圧の第１半周期では、直列に連結されたＬＥＤセルのグループＢ１−Ｃ１−Ａ２−Ｃ２−Ｂ３は第１電流ループを形成する。交流電圧の第２半周期では、直列に連結されたＬＥＤセルのグループＡ３−Ｃ２−Ｂ２−Ｃ１−Ａ１は第２電流ループを形成する。このような動作を通じ、２個の第３ＬＥＤセルＣ１、Ｃ２は交流電圧の全体周期にわたって連続的に駆動することができる。
【００４９】
実際にはしご形回路網で連続的に発光するＬＥＤ素子を５個（使用ＬＥＤ数対比駆動ＬＥＤ数：５／８＝６２．５％）確保することができる。これは従来のＡＣ駆動型ＬＥＤ配列の逆極性配列（５０％）またはブリッジ配列（通常６０％）より向上された数値である。
【００５０】
本発明は、図１ａに例示されたようなはしご形ＬＥＤ駆動回路網を具現するレイアウトを提供する。このようなＬＥＤセルのレイアウトは高い集積度と優れた発光効率の保障と共に電極間の連結を簡素に具現することができる。
【００５１】
図１ｂは、本発明の一例を説明するための概略図で、図１ａの回路を発光装置で具現するためのＬＥＤセルの概略的なレイアウトを示す。
【００５２】
図１ｂを参照すると、一列に３個の第１ＬＥＤセルＡ１、Ａ２、Ａ３が配列され、これと平行に３個の第２ＬＥＤセルＢ１、Ｂ２、Ｂ３が配列される。上記第１及び第２ＬＥＤセルの間には２個の第３ＬＥＤセルＣ１、Ｃ２が配列される。
【００５３】
このような配列形態を通じて第３ＬＥＤセルＣ１、Ｃ２を基準に他の第１及び第２ＬＥＤセルとの連結のための配線ａｃ１、ａｃ２、ｂｃ１、ｂｃ２をより簡単に具現することができる。
【００５４】
図１ｂに図示されたように、本発明による交流駆動発光装置は、１番目と２番目の第１ＬＥＤセルＡ１、Ａ２の第２電極（＋）と１番目の第３ＬＥＤセルＣ１の第１電極（−）を連結する配線ａｃ１と、１番目と２番目の第２ＬＥＤセルＢ１、Ｂ２の第１電極（−）と１番目の第３ＬＥＤセルＣ１の第２電極（＋）を連結する配線ｂｃ１と、２番目と３番目の第１ＬＥＤセルＡ２、Ａ３の第１電極（−）と２番目の第３ＬＥＤセルＣ２の第２電極（＋）を連結する配線ａｃ２と、２番目と３番目の第２ＬＥＤセルＢ２、Ｂ３の第２電極（＋）と２番目の第３ＬＥＤセルＣ２の第１電極（−）を連結する配線ｂｃ２を有する。このようなセル間の配線は、エアブリッジ（ａｉｒ−ｂｒｉｄｇｅ）またはワイヤー等の公知の形態の配線で具現されることができる。
【００５５】
また、上記第１接点Ｐ１には、１番目の第１ＬＥＤセルＡ１の第１電極（−）と１番目の第２ＬＥＤセルＢ１の第２電極（＋）が連結され、上記第２接点Ｐ２には３番目の第１ＬＥＤセルＡ３の第２電極（＋）と３番目の第２ＬＥＤセルＢ３の第１電極（−）が連結される。
【００５６】
図２は、本発明の一実施形態による発光装置を示す平面図である。図２は図１ｂが実際に具現された好ましい形態の発光装置を示すものと理解することができる。
【００５７】
図２に図示された交流駆動型発光装置は４個の辺、即ち第１乃至第４辺ｅ１−ｅ４からなる長方形の基板３１を含む。
【００５８】
上記基板３１上面の第１辺ｅ１に従って３個の第１ＬＥＤセルＡ１、Ａ２、Ａ３が並んで配列され、上記第１辺ｅ１と対向する第２辺ｅ２に従って３個の第２ＬＥＤセルＢ１、Ｂ２、Ｂ３が並んで配列される。上記第１及び第２ＬＥＤセルの列の間には２個の第３ＬＥＤセルＣ１、Ｃ２が配列される。
【００５９】
本実施形態に採用される第１乃至３ＬＥＤセルで、第１及び第２電極３７、３７'及び３８は、夫々該当セルの上面で対向する両辺に隣接するように配置される。また、上記第１及び第２電極３７、３７'及び３８は、その辺に従って延長された部分を有するように形成される。このように上記第１及び第２電極３７、３７'及び３８が対向する両辺から延長されるように形成されることにより各ＬＥＤセルの全体の発光面積でより均一な電流分布をはかることができ、結果的に発光効率を向上させることができる。
【００６０】
本実施形態のように、１番目の第１ＬＥＤセルＡ１は、上記基板３１の上面の第３辺ｅ３に従って１番目の第２ＬＥＤセルＢ１まで延長されるように形成されることができる。また、３番目の第２ＬＥＤセルＢ３は上記基板３１の上面の第４辺ｅ４に従って３番目の第１ＬＥＤセルＡ３まで延長されるように形成されることができる。このようなセルの大きさと形状を調整することでより高い集積度を実現することができる。
【００６１】
上記交流駆動発光装置は、上記１番目の第１ＬＥＤセルＡ１の第１電極及び上記１番目の第２ＬＥＤセルＢ１の第２電極に連結された第１外部電極Ｐ１と、３番目の第１ＬＥＤセルＡ３の第２電極及び３番目の第２ＬＥＤセルＢ３の第１電極に連結された第２外部電極Ｐ２を有する。
【００６２】
好ましく、図２に図示されたように、上記第１外部電極Ｐ１は上記１番目の第１ＬＥＤセルＡ１上に位置し、上記第２外部電極Ｐ２は上記３番目の第２ＬＥＤセルＢ３上に位置することができる。延長したＬＥＤセルＡ１、Ｂ３は他のセルに比べ相対的に広い発光面積を有するように設計することに有利であるため、外部電極のための面積を確保することが容易であることができる。また、特定セルに電流が集中することを防ぐために、上記第１乃至第３ＬＥＤセルはほぼ同一の発光面積を有するように形成することが好ましい。
【００６３】
本明細書において使用される"発光面積"という用語は、発光に加わる面積を意味するもので、各セルの活性層面積として理解することができる。
【００６４】
図３ａ乃至図３ｄは、図２に図示された発光装置の側断面図である。
【００６５】
本実施形態による交流駆動発光装置の第１乃至第３ＬＥＤセルは、上記基板３１上に順次に成長された第１導電型半導体層３４、活性層３５及び第２導電型半導体層３６から得ることができる。即ち、基板３１全体の上面に成長された発光構造のための第１導電型半導体層３４、活性層３５及び第２導電型半導体層３６を適切な分離工程を通じ各セル単位で分離させることで図１ａおよび図１ｂに図示された複数の第１乃至第３ＬＥＤセルの配列形態を得ることができる。
【００６６】
図３ａ乃至図３ｄは、図２に図示された発光装置の側断面図で、好ましく採用されることができる各セル単位の分離形態を示し、各図面を通じ図２に図示された構造をより詳細に説明する。
【００６７】
図３ａは、図２に図示された発光装置をＸ１−Ｘ１'線に従って切開した断面図である。
【００６８】
図３ａを参照すると、１番目の第１ＬＥＤセルＡ１と２番目の第１ＬＥＤセルＡ２は基板領域まで露出させる完全分離工程Ｉ１により分離されるのに反し、２番目の第１ＬＥＤセルＡ２と３番目の第１ＬＥＤセルＡ３は第１導電型半導体層領域までのみ露出させる半分離工程Ｉ２に分けられる。好ましく、２番目の第１ＬＥＤセルＡ２と３番目の第１ＬＥＤセルＡ３は上記第１導電型半導体層３４の露出された領域に形成された第２電極３７'を共有することができる。
【００６９】
このように、所望のＬＥＤ駆動回路が維持される範囲で部分的に半分離工程を適用し、その露出された第１導電型半導体層領域に第２電極３７'を形成し隣接したセル間の共有電極として提供することにより工程を単純化し集積化度をより向上させることができる。
【００７０】
図３ｂは図２に図示された発光装置をＸ２−Ｘ２'線に従って切開した断面図である。
【００７１】
図３ｂに図示されたように、１番目の第１ＬＥＤセルＡ１と３番目の第２ＬＥＤセルＢ３は完全分離工程Ｉ１により第３ＬＥＤセルＣ１、Ｃ２と分離され、第２ＬＥＤセルＢ１、Ｂ２は互いが完全分離工程Ｉ１により分離される。
【００７２】
図３ｃは図２に図示された発光装置をＹ１−Ｙ１'線に従って切開した断面図である。
【００７３】
図３ｃに図示されたように、第１ＬＥＤセルＡ１と第２ＬＥＤセルＢ３及び第３ＬＥＤセルは互いが完全分離工程Ｉ１により分離される。各セルの電極間の配線３９は、上述のようにエアブリッジまたはワイヤーにより具現されることができる。
【００７４】
図３ｄは図２に図示された発光装置をＹ２−Ｙ２'線に従って切開した断面図である。
【００７５】
図３ｄに図示されたように、１番目の第１ＬＥＤセルＡ１と１番目の第２ＬＥＤセルＢ１は完全分離工程Ｉ１により分離される。これと類似に、３番目の第１及び第２ＬＥＤセルＡ３、Ｂ３の分離及び連結形態も類似に理解することができる。
【００７６】
本実施形態と異なり、上記第１乃至第３ＬＥＤセルは全て上記基板まで露出された領域（完全分離工程）により隣接した他のＬＥＤセルと分離されるように形成されることができ、共有電極なしに各セル毎に個別の第１及び第２電極を有するように形成することができる。
【００７７】
図２に図示されたように、集積度を向上させ、他のＬＥＤセルの電極間の連結のための配線が短い長さを有するように、上記第３ＬＥＤセルＣ１、Ｃ２は電極が連結された２個の第１ＬＥＤセルＡ１、Ａ２／Ａ２、Ａ３と電極が連結された２個の第２ＬＥＤセルＢ１、Ｂ２／Ｂ２、Ｂ３と隣接するように配列されることが好ましい。
【００７８】
図２に図示されたように、上記第３ＬＥＤセルＣ１、Ｃ２は夫々その配列方向に傾いた平行四辺形の上面を有するように形成されることができる。上記第３ＬＥＤセルの第１及び第２電極３７、３８は夫々上記第３ＬＥＤセルの上面で傾いた両辺に隣接して形成されたことが好ましい。このような第３ＬＥＤセルＣ１、Ｃ２の設計は電極配線連結をさらに短く具現することができ、これにより配線形成過程において発生することができる不良を減少させると共に不透明な金属のような配線により発光面積が減少することを防ぐ。
【００７９】
配線連結がより簡素に具現されることができるように、上記第１ＬＥＤセルＡ１、Ａ２、Ａ３の第１及び第２電極３７、３８は夫々該当ＬＥＤセルの上面でその第１ＬＥＤセルの配列方向と垂直の両辺に隣接するように形成され、上記第２ＬＥＤセルＢ１、Ｂ２、Ｂ３の第１及び第２電極３７、３８は夫々該当ＬＥＤセルの上面でその第２ＬＥＤセルの配列方向と垂直の両辺に隣接するように形成されたことが好ましい。
【００８０】
このような配列形態は多様に具現されることができ、たとえば図２に図示された形態のほかにも図４に図示された例でも具現されることができる。
【００８１】
図４に図示された発光装置において、各セルは、上述の実施形態と類似に基板上に第１導電型半導体層４４、活性層（不図示）及び第２導電型半導体層４６を順次に形成してから、適切なセル単位の分離工程を通じて得られた構造であることができる。各セル単位の分離工程により得られた形態は図３ａ乃至図３ｄで説明された形態と類似な構造と理解することができる。
【００８２】
本実施形態において、上記第３ＬＥＤセルＣ１、Ｃ２は対向する２個の長辺と対向する２個の短辺からなるほぼ長方形の上面を有する形態で提供される。厳密な意味で長方形のみではなく、より高い集積度を有するように部分的に変形されたほぼ長方形を含むという意味と理解することができる。
【００８３】
本実施形態において、上記第３ＬＥＤセルＣ１、Ｃ２の第１及び第２電極４７、４８は夫々上記長方形の上面のうち２個の長辺に隣接するように形成されることができる。
【００８４】
この場合に、上記第３ＬＥＤセルＣ１、Ｃ２は、その長辺が上記第３ＬＥＤセルＣ１、Ｃ２の配列方向とほぼ垂直になるように配列されることが好ましい。
【００８５】
また、上記第１ＬＥＤセルＡ１−Ａ３の第１及び第２電極４７、４８は夫々上記第１ＬＥＤセルＡ１−Ａ３上面でその第１ＬＥＤセルの配列方向と平行の両辺に隣接するように形成され、上記第２ＬＥＤセルＢ１−Ｂ３の第１及び第２電極４７、４８は夫々上記第２ＬＥＤセルＢ１−Ｂ３上面でその第２ＬＥＤセルの配列方向と平行の両辺に隣接するように形成されることが好ましい。
【００８６】
本発明のより容易な理解のために、第１及び第２ＬＥＤセルが３個で、第３ＬＥＤセルの２個の発光装置を例示して説明したが、さらに多くのＬＥＤセルを有する実施形態でも類似に適用されることができる。
【００８７】
本発明は、特定セルの数で定義しないで一般化すると下記のように表現することができる。
【００８８】
即ち、本発明による交流駆動発光装置において、第１及び第２ＬＥＤセルはＫ個（ここで、Ｋは３以上の整数である）で、互いが並んで列を形成するように配列された形態で、第３ＬＥＤセルはＫ−１個で第１及び第２ＬＥＤセルの列の間に配列された形態であることができる。この場合に、第１乃至第３ＬＥＤセルの電極連結は下記のように表現することができる。
【００８９】
特定配列方向に上記第１乃至第３ＬＥＤセルの順番を定義するとき、ｍ番目（ここで、ｍはＫより小さい奇数である）の第３ＬＥＤセルの第１電極はｍ番目とｍ＋１番目の第１ＬＥＤセルの第２電極に連結され、ｍ番目の第３ＬＥＤセルの第２電極はｍ番目とｍ＋１番目の第２ＬＥＤセルの第１電極に連結される。ｎ番目（ここで、ｎはＫより小さい偶数である）の第３ＬＥＤセルの第１電極はｎ番目とｎ＋１番目の第２ＬＥＤセルの第２電極に連結され、ｎ番目の第３ＬＥＤセルの第２電極はｎ番目とｎ＋１番目の第１ＬＥＤセルの第１電極に連結される。
【００９０】
１番目の第１ＬＥＤセルの第１電極と１番目の第２ＬＥＤセルの第２電極に互いが連結され第１外部電極として提供される接点を形成し、Ｋ番目に該当される第１及び第２ＬＥＤセルの電極のうち第３ＬＥＤセルに連結されない電極に互いが連結され第２外部電極として提供される接点を形成する。
【００９１】
また、図３ａ乃至図３ｄで説明されたセル間の分離形態は、下記のように一般化し説明することができる。
【００９２】
即ち、ｍ番目の第２ＬＥＤセルとｍ＋１番目の第２ＬＥＤセルの全ての対は上記第１導電型半導体層が露出された領域により互いが分離され、上記第１導電型半導体層の露出された領域に形成された１つの第２電極を共有するように設計することができる。これと類似に、ｎ番目の第１ＬＥＤセルとｎ＋１番目の第１ＬＥＤセルの全ての対は上記第１導電型半導体層が露出された領域により互いが分離され、上記第１導電型半導体層の露出された領域に形成された１つの第２電極を共有するように設計することができる。
【００９３】
この場合に、残りの他の隣接した第１乃至第３ＬＥＤセルは上記基板領域まで露出された完全分離工程を通じて分離することが好ましい。
【００９４】
図５は本発明の好ましい実施形態による発光装置を示す平面図で、図６は図５に図示された発光装置の等価回路を示す。
【００９５】
図５に図示された発光装置１００は、基板１０１とその基板１０１上に並んで形成された第１乃至第３はしご形回路網ＬＥＤアレイ１１０、１２０、１３０を含む。上記第１乃至第３はしご形回路網ＬＥＤアレイ１１０、１２０、１３０は夫々一辺から対向する他の辺に向けて配列される（点線方向参照）。
【００９６】
上記第１乃至第３はしご形回路網ＬＥＤアレイ１１０、１２０、１３０の夫々は、基板１０１上面に一列に配列された１３個の第１ＬＥＤセル１１０Ａ、１２０Ａ、１３０Ａ及び第２ＬＥＤセル１１０Ｂ、１２０Ｂ、１３０Ｂと、上記基板１０１の上面で上記第１ＬＥＤセル１１０Ａ、１２０Ａ、１３０Ａ及び上記第２ＬＥＤセル１１０Ｂ、１２０Ｂ、１３０Ｂの列の間にその列と平行に一列に配列された１２個の第３ＬＥＤセル１１０Ｃ、１２０Ｃ、１３０Ｃを含む。
【００９７】
また、上記第１乃至第３はしご形回路網ＬＥＤアレイ１１０、１２０、１３０は、はしご形回路網を具現するための第１乃至３ＬＥＤセル間の連結形態を有する。このような連結形態は図２に例示されたＬＥＤセル間の連結と類似な方式で具現されることができる。
【００９８】
以下、本実施形態において採用されたＬＥＤセル間の連結をより容易に説明するために、上記複数の第１乃至第３ＬＥＤセルを夫々特定配列方向（ここでは右側から左側への方向）への順序と称する。
【００９９】
ｍ番目（ここで、ｍは１３より小さい奇数である）の第３ＬＥＤセル１１０Ｃ、１２０Ｃ、１３０Ｃの第１電極１１７、１２７、１３７はｍ番目とｍ＋１番目の第１ＬＥＤセル１１０Ａ、１２０Ａ、１３０Ａの第２電極１１８、１２８、１３８に連結される。ｍ番目の第３ＬＥＤセル１１０Ｃ、１２０Ｃ、１３０Ｃの第２電極１１８、１２８、１３８はｍ番目とｍ＋１番目の第２ＬＥＤセル１１０Ｂ、１２０Ｂ、１３０Ｂの第１電極１１７、１２７、１３７に連結される。
【０１００】
ｎ番目（ここで、ｎは１３より小さい偶数である）の第３ＬＥＤセル１１０Ｃ、１２０Ｃ、１３０Ｃの第１電極１１７、１２７、１３７はｎ番目とｎ＋１番目の第２ＬＥＤセル１１０Ｂ、１２０Ｂ、１３０Ｂの第２電極１１８、１２８、１３８に連結される。ｎ番目の第３ＬＥＤセル１１０Ｃ、１２０Ｃ、１３０Ｃの第２電極１１８、１２８、１３８はｎ番目とｎ＋１番目の第１ＬＥＤセル１１０Ａ、１２０Ａ、１３０Ａの第１電極１１７、１２７、１３７に連結される。
【０１０１】
１番目の第１ＬＥＤセルの第１電極と１番目の第２ＬＥＤセルの第２電極は互いが連結され、最後の第１及び第２ＬＥＤセルの電極のうち第３ＬＥＤセルに連結されない電極、即ち、１３番目の第１ＬＥＤセルの第２電極と第１３番目の第２ＬＥＤセルの第１電極は互いが連結される。
【０１０２】
このようなＬＥＤセルの電極間の連結は配線手段１１９、１２９、１３９で具現されることができる。たとえば、これに限定されないが、公知の配線手段としてエアブリッジまたはワイヤー等があることができる。
【０１０３】
上述のように、図２及び図３ａ乃至図３ｄに図示し説明した事項は本実施形態と矛盾しない限り本実施形態に対する説明に結合し理解することができる。
【０１０４】
たとえば、上記第１乃至第３ＬＥＤセルは全て基板１０１上に順次に成長された第１導電型半導体層１０４、活性層１０５及び第２導電型半導体層１０６の積相体を適切な分離工程を通じ得られた構造であることができる（図７ａ乃至図７ｃ参照）。また、第１及び第３ＬＥＤセルは第１電極が隣接した２個のセル単位で共有されるように第１導電型半導体層までのみ露出されるように分離することができる（図３ａ参照）。
【０１０５】
また、第３ＬＥＤセル１１０Ｃ、１２０Ｃ、１３０Ｃは図示されたように夫々その配列方向に傾いた平行四辺形の上面を有するように形成されることができる。上記第３ＬＥＤセル１１０Ｃ、１２０Ｃ、１３０Ｃの第１電極１１７、１２７、１３７及び第２電極１１８、１２８、１３８は夫々上記第３ＬＥＤセルの上面で傾いた両辺に隣接して形成されたことが好ましい。このような第３ＬＥＤセル１１０Ｃ、１２０Ｃ、１３０Ｃの設計は電極配線を短縮させることができる。
【０１０６】
さらに、配線連結がより簡素に具現できるように、上記第１ＬＥＤセル１１０Ａ、１２０Ａ、１３０Ａの第１電極１１７、１２７、１３７及び第２電極１１８、１２８、１３８は夫々該当ＬＥＤセルの上面でその第１ＬＥＤセルの配列方向と垂直の両辺に隣接するように形成され、上記第２ＬＥＤセル１１０Ｂ、１２０Ｂ、１３０Ｂの第１電極１１７、１２７、１３７及び第２電極１１８、１２８、１３８は夫々該当ＬＥＤセルの上面でその第２ＬＥＤセルの配列方向と垂直の両辺に隣接するように形成されたことが好ましい。
【０１０７】
本実施形態において、上記第２はしご形回路網ＬＥＤアレイ１２０は、上記第１及び第３はしご形回路網ＬＥＤアレイ１１０、１３０の間に位置するように配列される。
【０１０８】
好ましく、上記第１及び第２はしご形回路網ＬＥＤアレイ１１０、１２０は夫々の第２ＬＥＤセル１１０Ｂ、１２０Ｂの列が互いに隣接するように配列され、上記第２及び第３はしご形回路網ＬＥＤアレイ１２０、１３０は夫々の第１ＬＥＤセル１２０Ａ、１３０Ａの列が互いに隣接するように配列される。
【０１０９】
このような配列を通じ下記に説明するはしご形回路網間の連結を容易に具現することができる。即ち、本実施形態において、上記第２はしご形回路網ＬＥＤアレイ１２０は両端で隣接した第１及び第３はしご形回路網ＬＥＤアレイ１１０、１３０と電気的に連結される。
【０１１０】
図７ａ乃至図７ｃは、図６に図示された発光装置のはしご形回路網の列の連結部Ａを示す平面図及び側断面図である。
【０１１１】
上記第１はしご形回路網ＬＥＤアレイ１１０の１３番目の第２ＬＥＤセル１１０Ｂのうち第３ＬＥＤセル１１０Ｃに連結されはない電極（即ち、本実施形態においては第１電極１１７）と、上記第２はしご形回路網ＬＥＤアレイ１２０の１３番目の第２ＬＥＤセル１２０Ｂのうち第３ＬＥＤセル１２０Ｃに連結されない電極（即ち、本実施形態においては第１電極１２７）は互いが連結される。
【０１１２】
これと類似に、上記第２はしご形回路網ＬＥＤアレイ１２０の１番目の第１ＬＥＤセル１２０Ａのうち第３ＬＥＤセル１１０Ｃに連結されない電極（即ち、本実施形態においては第１電極１２７）と、上記第２はしご形回路網ＬＥＤアレイ１３０の１３番目の第１ＬＥＤセル１３０Ａのうち第３ＬＥＤセル１３０Ｃに連結されない電極（即ち、本実施形態においては第１電極１３７）は互いが連結される。
【０１１３】
本実施形態においては、第２電極を通じて互いが連結された形態を有する。この場合にはしご形回路網間の連結電極を共通電極形態で具現し、はしご形回路網間の連結を容易に具現することができる。
【０１１４】
図７ａ乃至図７ｃに図示されたように、上記第１はしご形回路網ＬＥＤアレイ１１０の１３番目の第２ＬＥＤセル１１０Ｂと、上記第２はしご形回路網ＬＥＤアレイ１２０の１３番目の第２ＬＥＤセル１２０Ｂは上面からみてＴ字形で、第１導電型半導体層１０４までのみ露出されるように半分離工程を通じ分離されて得ることができる。また、上記露出された領域のうち基板の一辺の領域に隣接した部分に第１共通電極１０７を形成して二つのＬＥＤセルが互いが共有するように形成すると共に、上述のはしご形回路網間の連結を実現することができる。
【０１１５】
これと類似に、上記第２はしご形回路網ＬＥＤアレイ１２０の１番目の第２ＬＥＤセル１２０Ｂと、上記第３はしご形回路網ＬＥＤアレイ１３０の１番目の第２ＬＥＤセル１３０Ｂは上面からみてＴ字形で、第１導電型半導体層１０４までのみ露出されるように半分離工程を通じ分離されて得ることができる。また、上記露出された領域のうち、基板の一辺の領域に隣接した部分に第１共有電極１０７を形成した二つのＬＥＤセルが互いが共有するように形成すると共に、上述のはしご形回路網間の連結を実現することができる。
【０１１６】
これにより図６に図示された等価回路のように、第１乃至第３はしご形回路網１１０、１２０、１３０は直列に連結され所望のはしご形回路網の形態の交流駆動型発光装置を具現することができる。
【０１１７】
本実施形態においては、３個のはしご形回路網ＬＥＤアレイを有する発光装置を例示したが、はしご形回路網ＬＥＤアレイの数に限定されない。たとえば、本発明は２個のはしご形回路網ＬＥＤアレイのみを有する形態でも具現されることができ、４個以上のはしご形回路網ＬＥＤアレイで具現されることもできる。各はしご形回路網ＬＥＤアレイに属するＬＥＤセルの数も図示された形態に限定されるものではないことは当業者には自明である。
【０１１８】
上記のように、本発明は上述の実施形態及び添付の図面により限定されるものではなく、上記の特許請求の範囲により限定される。従って、特許請求の範囲に記載の本発明の技術的思想から外れない範囲内で多様な形態の置換、変形及び変更が可能であるということは当技術分野の通常の知識を有する者には自明であり、これも上記の特許請求の範囲に記載の技術的な思想に属すると言える。
【図面の簡単な説明】
【０１１９】
【図１ａ】本発明の一実施形態（単位配列）によるＬＥＤ駆動回路を示す。
【図１ｂ】図１ａの回路による発光装置を具現するためのＬＥＤセルの配列を示す。
【図２】本発明の一実施形態による発光装置を示す平面図である。
【図３ａ】図２に図示された発光装置の側断面図である。
【図３ｂ】図２に図示された発光装置の側断面図である。
【図３ｃ】図２に図示された発光装置の側断面図である。
【図３ｄ】図２に図示された発光装置の側断面図である。
【図４】本発明の他の実施形態による発光装置を示す平面図である。
【図５】本発明の好ましい実施形態による発光装置を示す平面図である。
【図６】図５に図示された発光装置の等価回路を示す。
【図７ａ】図６に図示された発光装置のはしご形回路網の列の連結部(Ａ)を示す平面図及び側断面図である。
【図７ｂ】図６に図示された発光装置のはしご形回路網の列の連結部(Ａ)を示す平面図及び側断面図である。
【図７ｃ】図６に図示された発光装置のはしご形回路網の列の連結部(Ａ)を示す平面図及び側断面図である。
【図１ａ】
2010016333.tif 000003
【図１ｂ】
2010016333.tif 000004
【図２】
2010016333.tif 000005
【図３ａ】
2010016333.tif 000006
【図３ｂ】
2010016333.tif 000007
【図３ｃ】
2010016333.tif 000008
【図３ｄ】
2010016333.tif 000009
【図４】
2010016333.tif 000010
【図５】
2010016333.tif 000011
【図６】
2010016333.tif 000012
【図７ａ】
2010016333.tif 000013
【図７ｂ】
2010016333.tif 000014
【図７ｃ】
2010016333.tif 000015